(57)【要約】      （修正有）【課題】患者が低身長者の場合には肩甲骨部は背凭れで支持し、ヘッドレストでは後頭部のみを支持し、また、高身長者の場合にはヘッドレストで後頭部および肩甲骨部の両方を支持する形状となし、低身長者でも高身長者でも安楽な姿勢での治療を受けることができ、かつ、歯科医の治療も最適な状態で行える歯科用椅子のヘッドレスト装置を提供する。【解決手段】起伏可能な背凭れ２を上下動させるための下部油圧シリンダ３と、該下部シリンダ３の伸縮によって移動する上部油圧シリンダ４と、該上部油圧シリンダ４に設けられ、円弧状に形成されたヘッドレスト用支板６を設けるとともに、前記ヘッドレスト用支板６の先端に取付けられ、短辺部ａと長辺部ｂが側面形状でへの字状に形成され被覆体９ｃで覆われたヘッドレスト基板９ａを設けることによって、低身長者および高身長者のそれぞれの治療に対応するようにした。【選択図】図１
0003143889.tif 000002
【実用新案登録請求の範囲】
【請求項１】
座部に対して起伏可能な背凭れの裏面側に取付けられた下部油圧シリンダと、
該下部シリンダの伸縮によって移動する上部油圧シリンダと、
該上部油圧シリンダの伸縮によってガイドローラーに案内され移動する患者の頸椎部を仮想支点とする円弧状に形成されたヘッドレスト用支板と、
短辺部と長辺部が側面形状でへの字状に形成され被覆体で覆われたヘッドレスト基板における前記短辺部の先端が前記ヘッドレスト用支板の先端に取付けられ、かつ、前記短辺部の被覆体部分で高長身者の後頭部を支持し、短辺部の被覆体部分で高身長者の肩甲骨部や低身長者の後頭部を支持するヘッドレストと、
より構成したことを特徴とする歯科用椅子のヘッドレスト装置。
【請求項２】
前記ヘッドレストの長辺部の前記短辺部側に近い部分から２分割すると共に短辺部と長辺部に補助基板を内蔵し、該補助基板と前記ヘッドレスト基板との間にゴム等の弾性部材を介在したことを特徴とする請求項１記載の歯科用椅子のヘッドレスト装置。
【請求項３】
前記した背凭れに前記下部油圧シリンダおよび上部油圧シリンダを収縮した状態において前記ヘッドレストの少なくとも前記長辺部が収容される凹部を形成したことを特徴とする請求項１記載の歯科用椅子のヘッドレスト装置。
【考案の詳細な説明】
【技術分野】
【０００１】
本考案は歯科医院における上顎または下顎の診療において、高身長者であっても低身長者であっても最適な治療姿勢で診療を受けることができる歯科用椅子のヘッドレスト装置に関する。
【背景技術】
【０００２】
従来における歯科用椅子のヘッドレスト装置としては、実公昭５９−４２０２４号公報に開示された技術がある。このヘッドレスト装置は背凭れの背面側に上下２段の油圧シリンダを取付け、下部油圧シリンダによって上部油圧シリンダの上下動を行い、上部油圧シリンダによって上端にヘッドレストが取付けられた円弧状のヘッドレスト用支板の上下動を行う構造のものである。
【０００３】
次に、動作について説明すると、下部油圧シリンダを収縮あるいは吐出させると上部油圧シリンダが上下動してヘッドレストを背凭れの上端位置と背凭れの上端から離れた位置に変化させる。また、ヘッドレストの所望の高さ位置において上部油圧シリンダを収縮あるいは吐出させるとヘッドレスト用支板の円弧形状によってヘッドレストを高さ方向にはそれ程変化させずに背凭れに対して前後方向に変化させる。
【０００４】
そして、このような動作からして、低身長者あるいは高身長者の治療を行うには、下部油圧シリンダの吐出、収縮量を制御して低身長者あるいは高身長者の後頭部がヘッドレストに一致するようにしヘッドレストの高さ調整を行い、また、上顎または下顎側の治療位置に応じて上部油圧シリンダの吐出、収縮量を制御して頭部を前傾あるいは後傾して治療が行い易い角度に調整することで患者の疲労を低減させると共に歯科医による治療が行い易くした。
【特許文献１】実公昭５９−４２０２４号公報
【考案の開示】
【考案が解決しようとする課題】
【０００５】
ところで、前記した従来の技術にあっては、低身長者の治療を行う際には下部油圧シリンダによるヘッドレストの位置を高い位置まで上昇させなくとも頭部を支持することができるので、この位置において低身長者の肩部分は背凭れによって支持されるので疲労感を与えることはない。
【０００６】
しかし、高身長者の治療を行うには下部油圧シリンダによるヘッドレストの位置を高い位置まで上昇させなくてはならず、その位置にあっては肩部は背凭れから離れて隙間が発生するため、高身長者の場合には頭部および肩部の荷重を頭部のみで支えることとなり、長時間の治療には苦痛を与えるといった問題があった。
【０００７】
また、ヘッドレスト用支板に対してヘッドレストは背凭れ側に近い部分に取付けられているので、患者の頭部側から治療を行う（１２時診療という）場合にヘッドレストの先端側が歯科医の腹部を圧迫するといった問題もあった。
【０００８】
本考案は前記した問題点を解決せんとするもので、その目的とするところは、患者が低身長者の場合には肩甲骨部は背凭れで支持し、ヘッドレストでは後頭部のみを支持し、また、高身長者の場合にはヘッドレストで後頭部および肩甲骨部の両方を支持する形状となし、低身長者でも高身長者でも安楽な姿勢での治療を受けることができ、かつ、歯科医の治療も最適な状態で行える歯科用椅子のヘッドレスト装置を提供せんとするにある。
【課題を解決するための手段】
【０００９】
本考案の歯科用椅子のヘッドレスト装置は前記した目的を達成せんとするもので、請求項１の手段は、座部に対して起伏可能な背凭れの裏面側に取付けられた下部油圧シリンダと、該下部シリンダの伸縮によって移動する上部油圧シリンダと、該上部油圧シリンダの伸縮によってガイドローラーに案内され移動する患者の頸椎部を仮想支点とする円弧状に形成されたヘッドレスト用支板と、短辺部と長辺部が側面形状でへの字状に形成され被覆体で覆われたヘッドレスト基板における前記短辺部の先端が前記ヘッドレスト用支板の先端に取付けられ、かつ、前記短辺部の被覆体部分で高長身者の後頭部を支持し、短辺部の被覆体部分で高身長者の肩甲骨部や低身長者の後頭部を支持するヘッドレストとより構成したことを特徴とする。
【００１０】
請求項２の手段は前記した請求項１において、前記ヘッドレストの長辺部の前記短辺部側に近い部分から２分割すると共に短辺部と長辺部に補助基板を内蔵し、該補助基板と前記ヘッドレスト基板との間にゴム等の弾性部材を介在したことを特徴とする。
【００１１】
請求項３の手段は前記した請求項１において、前記した背凭れに前記下部油圧シリンダおよび上部油圧シリンダを収縮した状態において前記ヘッドレストの少なくとも前記長辺部が収容される凹部を形成したことを特徴とする。
【考案の効果】
【００１２】
本考案は前記しように、ヘッドレストの形状を高身長者の後頭部を支持する短辺部と、高身長者の肩甲骨部を支持し、また、低身長者の後頭部を支持する長辺部とからなる側面形状でへの字状としたことにより、高身長者が治療を受けるために仰臥姿勢となった状態において短辺部で後頭部が支持され長辺部で肩甲骨部が支持されるので長時間の治療でも疲労感を与えることがなく、また、低身長者の場合には長辺部で後頭部が支持され肩甲骨部は背凭れによって支持されるので同じく長時間の治療でも疲労感を与えることがなく、さらに、ヘッドレスト用支板はヘッドレストの先端側に位置するので、１２時診療する場合であってもヘッドレストの先端部によって歯科医の腹部が圧迫されることがない。
【００１３】
また、ヘッドレストの短辺部と長辺部に２分割すると共に短辺部および長辺部の補助基板とヘッドレスト基板との間にゴム等の弾性部材を介在したことにより、特に、高身長者の治療姿勢時において後頭部を支持する短辺部と肩甲骨部を支持する長辺部とがそれぞれ弾性的に支持されることとなり、後頭部と肩甲骨部が柔軟に支持されて治療姿勢に無理な力が作用しないので安楽な姿勢を維持でき、また、低身長者の場合にも長辺部の弾性力によって短辺部に支持された後頭部と背凭れに支持された背中とに無理な力が作用しないので安楽な姿勢を維持でき、さらに、２分割することで、低身長者の後頭部は長辺部に載せ、高身長者の後頭部は短辺部に載せることになるが、その時に歯科医が患者の頭部位置を視覚的に判断することができるので、患者に合わせてヘッドレストをセットし易くなる。
【００１４】
さらに、背凭れの上部に少なくともヘッドレストの長辺部が収容される凹部を形成したことにより、治療を行わない状態時にヘッドレストの背凭れ上部よりの突出量が少なくなり椅子への患者導入や歯科医、アシスタントが枕に当接することを防止でき、かつ、美観的にも優れている等の効果を有するものである。
【考案を実施するための最良の形態】
【００１５】
本考案は、ヘッドレストを側面形状でへの字状に形成すると共に折曲部側の短辺部で高身長者の頭部を支持し、長辺部で高身長者の肩甲骨部と低身長者の頭部を支持することを特徴とする。
【実施例１】
【００１６】
以下、本考案に係る歯科用椅子のヘッドレスト装置の実施例を図１〜図７と共に説明する。
１は図示しない昇降手段によって上下動する座部（図２〜図７参照）、２は左右にサポート部材２ａが形成され前記座部１の後方において起伏可能な背凭れ、３は該背凭れ２の背面側の下方に取付けられた下部油圧シリンダ、４は該下部油圧シリンダ３のラム３ａにシリンダ部４ａが取付けられた上部油圧シリンダにして、背凭れ２に取付けられている昇降ガイド５によって上下動可能に取付けられている。
【００１７】
６は前記上部油圧シリンダ４のラム４ｂに下端が軸支された患者の頸椎部を仮想支点とする円弧状に形成されたヘッドレスト用支板にして、先端部分は背凭れ２の上方に取付けられた昇降カバー７のガイドローラー７ａによってガイドされている。そして、前記下部油圧シリンダ３、上部油圧シリンダ４および昇降カバー７の下部は背凭れカバー８によって体裁良く覆われている。
【００１８】
９は前記ヘッドレスト用支板６の上端にヘッドレスト基板９ａが取付けられたヘッドレストにして、ヘッドレスト基板９ａは側面形状においてへの字状に折曲されている。そして、このヘッドレスト基板９ａは弾性部材９ｂを介して被覆体９ｃで覆われている。また、ヘッドレスト９の横方向の幅は高身長者が使用した時には肩甲骨部を支持できる幅に形成され、また、縦方向の長さは高身長者が使用した時にはへの字状に折曲された短辺部ａで後頭部を支持し、長辺部ｂで肩甲骨部を支持できる長さに形成されている。なお、低身長者が使用した時には長辺部ｂで後頭部を支持するものとする。
【００１９】
なお、背凭れ２の患者が凭れる面には下部油圧シリンダ３と上部油圧シリンダ４を収縮した時に前記ヘッドレスト９の少なくとも長辺部ｂが入り込む凹部２ｂが形成されている。そして、長辺部ｂが収容されることで背凭れ２の上部から突出するヘッドレスト９の長さが小さくなることで、椅子への患者導入や歯科医、アシスタントが枕に当接することを防止でき、かつ、美観的にも優れものとなる。
【００２０】
次に、低身長者が治療等で使用する場合の動作について説明するに、着座時において低身長者の後頭部がヘッドレスト９の長辺部ｂと対向する位置となるように下部油圧シリンダ３のラム３ａの突出量を制御して上部油圧シリンダ４を上下方向に変位させる（図２参照）。そして、この状態において低身長者の着座状態での座位治療を行うことが可能となる。
【００２１】
前記着座状態から仰臥状態において上顎側の歯を治療を行う場合には、図３に示すように前記着座状態において背凭れ２を伏倒することで、患者の顔は背凭れ２と平行な状態となっているので、上顎側の歯の治療を歯科医による治療作業が行い易い状態となっている。従って、この状態において低身長者の１２時での上顎の治療を行うことが可能となる。
【００２２】
また、仰臥状態において下顎側の歯の治療を行う場合には、図４に示すように前記上顎側の歯の治療状態から上部油圧シリンダ４のラム４ｂの突出量を制御して治療が行い易い顔の角度に調整することで、歯科医による下顎側の歯の治療が行い易い状態となる。そして、この状態において低身長者での１２時での下顎の治療を行うことが可能となる
【００２３】
なお、低身長者の何れの治療姿勢においても患者の後頭部はヘッドレストにおける長辺部ｂに位置した姿勢となることから、患者の背中部分は背凭れ２によって支持された状態となっており、従って、長時間の治療であっても患者は安楽な姿勢で治療を受けることができる。
【００２４】
次に、高身長者の治療等で使用する場合の動作について説明するに、着座時において高身長者の後頭部がヘッドレスト９の短辺部ａと対向し、かつ、肩甲骨部が長辺部ｂの位置となる下部油圧シリンダ３のラム３ａの突出量を制御して上部油圧シリンダ４を上下方向に変位させる（図５参照）。そして、この状態において高身長者の着座状態での座位治療を行うことが可能となる。
【００２５】
前記着座状態から仰臥状態において上顎側の歯を治療を行う場合には、図６に示すように前記着座状態において背凭れ２を伏倒することで、患者の顔は背凭れ２と平行な状態となっているので、上顎側の歯の治療を歯科医による治療作業が行い易い状態となっている。従って、この状態において高身長者での１２時での上顎の治療を行うことが可能となる。
【００２６】
また、仰臥状態において下顎側の歯の治療を行う場合には、図７に示すように前記上顎側の歯の治療状態から上部油圧シリンダ４のラム４ｂの突出量を制御して治療が行い易い顔の角度に調整することで、歯科医による下顎側の歯の治療が行い易い状態となる。そして、この状態において高身長者での１２時での下顎の治療を行うことが可能となる
【００２７】
なお、高身長者の何れの治療姿勢においても患者の後頭部はヘッドレスト９における短辺部ａに支持され、かつ、肩甲骨部は長辺部ｂに支持された姿勢となることから、患者の背中部分が背凭れ２より浮いた状態となることがないので、長時間の治療であっても患者は安楽な姿勢で治療を受けることができる。
【００２８】
また、低身長者および高身長者のどの様な治療姿勢、特に、１２時状態の治療姿勢において、ヘッドレスト９の上端部が患者の後頭部から歯科医側に突出していないので、ヘッドレスト９の上端部によって腹部が圧迫されることがなく、歯科医に苦痛を与えることがない。
【００２９】
次に、図８の他の実施例について説明するに、前記した実施例にあってはヘッドレスト９の短辺部ａと長辺部ｂを一体的に構成したものであるのに対して、この実施例では前記ヘッドレスト９の長辺部ｂの前記短辺部ａ側に近い部分から２分割すると共に短辺部９１と長辺部９２に補助基板９１ａ，９２ａを内蔵し、該補助基板９１ａ，９２ａと前記ヘッドレスト基板９ａとの間にゴム等の弾性部材９３を介在した点で相違する。
【００３０】
このように構成することで、低身長者の後頭部を分割された長辺部９２に載せた状態において短辺部との繋がりがないので長辺部の自由度が大きく頭部のフィット感が得られ、また、高身長者の後頭部を分割された短辺部９１に載せると共に肩甲骨部を長辺部９２に載せた状態において短辺部と長辺部が異なる動きをするので、頭部と肩甲骨部が独立して支持することになってフィット感が得られ、さらに、それぞれの姿勢を歯科医が見ることで患者の頭部位置を視覚的に判断することができ、従って、患者に合わせてヘッドレスト９のセット位置を容易に判断することが可能となる。
【図面の簡単な説明】
【００３１】
【図１】本考案に係る歯科用椅子のヘッドレスト装置の要部断面図である。
【図２】低身長者が着座した状態時の断面図である。
【図３】低身長者が仰臥した状態において上顎側の歯の治療を行う状態時の断面図である。
【図４】低身長者が仰臥した状態において下顎側の歯の治療を行う状態時の断面図である。
【図５】高身長者が着座した状態時の断面図である。
【図６】高身長者が仰臥した状態において上顎側の歯の治療を行う状態時の断面図である。
【図７】高身長者が仰臥した状態において下顎側の歯の治療を行う状態時の断面図である。
【図８】ヘッドレストを分割した実施例の断面図である。
【符号の説明】
【００３２】
２          背凭れ
３          下部油圧シリンダ
４          上部油圧シリンダ
６          ヘッドレスト用支板
７ａ        ガイドローラー
９          ヘッドレスト
９ａ        ヘッドレスト基板
９ｃ        被覆体
ａ          短辺部
ｂ          長辺部
【図１】
0003143889.tif 000003
【図２】
0003143889.tif 000004
【図３】
0003143889.tif 000005
【図４】
0003143889.tif 000006
【図５】
0003143889.tif 000007
【図６】
0003143889.tif 000008
【図７】
0003143889.tif 000009
【図８】
0003143889.tif 000010